【手続補正書】
【提出日】平成26年3月24日(2014.3.24)
【手続補正１】
【補正対象書類名】明細書
【補正対象項目名】０１０３
【補正方法】変更
【補正の内容】
【０１０３】
本発明は上記に述べた特定の実施例に限定されるものと考えるべきではなく、添付の特許請求の範囲に適正に記載されるように本発明の全ての態様を網羅するものと理解すべきである。本発明を適用可能な様々な改変、等価のプロセス、及び多くの構造が、本明細書を参照することで本発明が対象とする技術分野における当業者には直ちに明らかとなろう。特許請求の範囲は、そうした改変及び工夫を網羅することを目的としたものである。
以下に、本願発明に関連する発明の実施形態について列挙する。
［実施形態１］
１本又は複数本の通信線を配線するダクトであって、
長さと、長手方向の穴が中に形成された導管部分とを有する細長い本体であって、前記導管部分が、１本又は複数本の通信線を収容する細長い本体と、
前記細長い本体と隣接して長手方向に延在して、前記ダクトを取り付け面に取り付けるフランジと、
前記フランジの表面に配置された接着剤層であって、取り付け後に前記ダクトを前記取り付け面から取り外すことを可能にする除去可能な接着剤を含む接着剤層と、を有する、ダクト。
［実施形態２］
前記細長い本体が、柔軟材料から形成された、実施形態１に記載のダクト。
［実施形態３］
前記接着剤層が、引き剥がし接着剤を含む、実施形態１に記載のダクト。
［実施形態４］
前記引き剥がし接着剤が、アクリル系接着剤を含む、実施形態３に記載のダクト。
［実施形態５］
前記引き剥がし接着剤が、ゴム系接着剤を含む、実施形態３に記載のダクト。
［実施形態６］
前記引き剥がし接着剤が、シリコーン系接着剤を含む、実施形態３に記載のダクト。
［実施形態７］
前記引き剥がし接着剤が、極めて延伸性の高い裏材を含む、実施形態３に記載のダクト。
［実施形態８］
前記接着剤層が、前記ダクトを概略平坦面に取り付ける前に取り外し可能なライナーを更に有する、実施形態３に記載のダクト。
［実施形態９］
前記細長い本体が、少なくとも２５対１のフォームファクタ（長さ対幅）を有する、実施形態１に記載のダクト。
［実施形態１０］
前記細長い本体が、少なくとも５０対１のフォームファクタ（長さ対幅）を有する、実施形態１に記載のダクト。
［実施形態１１］
前記細長い本体が、１００対１を超えるフォームファクタ（長さ対幅）を有する、実施形態１に記載のダクト。
［実施形態１２］
前記ダクトが、少なくとも１つの追加の導管を有し、第１の導管が、少なくとも第１の光ファイバ通信線を収容するように構成され、前記追加の導管が、少なくとも第２の光ファイバ通信線を収容するように構成された、実施形態１に記載のダクト。
［実施形態１３］
前記１本又は複数本の通信線が、電線を含む、実施形態１に記載のダクト。
［実施形態１４］
前記接着剤層が、前記フランジの前記表面の異なる部分にそれぞれ配置された第１と第２の接着剤層を含む、実施形態１に記載のダクト。
［実施形態１５］
前記１本又は複数本の通信線が、高速イーサネット通信線を含む、実施形態１に記載のダクト。
［実施形態１６］
脱着可能な物品であって、
少なくとも２５対１のフォームファクタ（長さ対幅）を有する細長い本体と、前記細長い本体の長さに沿った底面とを有する物品と、
前記物品の前記底面に配置された接着剤層であって、取り付け後に前記物品を取り付け面から取り外すことを可能にする除去可能な接着剤を含む接着剤層と、を有する、脱着可能な物品。
［実施形態１７］
前記細長い本体が、柔軟材料から形成された、実施形態１６に記載の着脱可能な物品。
［実施形態１８］
前記細長い本体が、少なくとも実質的に剛性の材料から形成された、実施形態１６に記載の着脱可能な物品。
［実施形態１９］
前記細長い本体が、少なくとも５０対１のフォームファクタ（長さ対幅）を有する、実施形態１６に記載の着脱可能な物品。
［実施形態２０］
前記細長い本体が、１００対１を超えるフォームファクタ（長さ対幅）を有する、実施形態１６に記載の着脱可能な物品。
［実施形態２１］
前記接着剤層が、引き剥がし接着剤を含む、実施形態１６に記載の着脱可能な物品。
［実施形態２２］
前記引き剥がし接着剤が、アクリル系接着剤を含む、実施形態２１に記載の着脱可能な物品。
［実施形態２３］
前記引き剥がし接着剤が、ゴム系接着剤を含む、実施形態２１に記載の着脱可能な物品。
［実施形態２４］
前記引き剥がし接着剤が、シリコーン系接着剤を含む、実施形態２１に記載の着脱可能な物品。
［実施形態２５］
前記引き剥がし接着剤が、極めて伸張性の高い裏材を含む、実施形態２１に記載の着脱可能な物品。
［実施形態２６］
前記接着剤層が、前記ダクトを前記概略平坦面に取り付ける前に取り外し可能なライナーを更に含む、実施形態１６に記載の着脱可能な物品。
［実施形態２７］
取り付け面に取り付けられたダクトを取り外す方法であって、前記ダクトが、長さと、１本又は複数本の通信線を収容する長手方向の穴が中に形成された導管部分とを有する細長い本体と、前記細長い本体と隣接して長手方向に延在するフランジと、前記フランジの表面に配置された接着剤層であって、除去可能な接着剤を含む接着剤層とを有し、
前記接着剤層の一部分を、実質的に前記取り付け面の平面に沿って長手方向に引き延ばす工程と、
前記接着剤層の前記一部分を、前記取り付け面の前記平面に沿って前記長手方向から相当な角度で前記ダクトから引き離す工程と、を含む、方法。
［実施形態２８］
前記相当な角度が、前記長手方向から少なくとも３０°である、実施形態２７に記載の方法。
［実施形態２９］
前記相当な角度が、前記長手方向から約４５°〜約１３５°である、実施形態２７に記載の方法。
［実施形態３０］
前記ダクトが、少なくとも実質的に剛性である、実施形態２７に記載の方法。
［実施形態３１］
前記ダクトが、柔軟性である、実施形態２７に記載の方法。
［実施形態３２］
前記接着剤層の前記一部分を、前記取り付け面の前記平面から相当な角度で前記ダクトから引き離す工程を更に含む、実施形態２７に記載の方法。
［実施形態３３］
取り付け面に取り付けられたダクトを取り外す方法であって、前記ダクトが、長さと、１本又は複数本の通信線を収容する長手方向の穴が中に形成された導管部分とを有する細長い本体と、前記細長い本体と隣接した長手方向に延在するフランジと、前記フランジの表面に配置された接着剤層であって、除去可能な接着剤を含む接着剤層とを有し、
前記接着剤層の一部分を、実質的に前記取り付け面の平面に沿って長手方向に引き延ばす工程と、
前記ダクトを、前記長手方向に沿って前記取り付け面の前記平面から第１の相当な角度で引き離す工程と、
前記接着剤層の前記一部分を、前記長手方向に沿って前記取り付け面の前記平面から第２の相当な角度で前記ダクトから引き離す工程と、を含む、方法。
［実施形態３４］
取り付け面に取り付けられた物品を取り外す方法であって、前記物品が、少なくとも２５対１のフォームファクタ（長さ対幅）を有する細長い本体と、前記細長い本体の長さに沿った底面と、前記底面に配置された接着剤層とを有し、
前記接着剤層の一部分を、実質的に前記取り付け面の平面に沿って長手方向に引き延ばす工程と、
前記接着剤層の前記一部分を、前記取り付け面の前記平面に沿って前記長手方向から相当な角度で前記物品から引き離す工程と、を含む、方法。
【手続補正２】
【補正対象書類名】特許請求の範囲
【補正対象項目名】全文
【補正方法】変更
【補正の内容】
【特許請求の範囲】
【請求項１】
１本又は複数本の通信線を配線するダクトであって、
長さと、長手方向の穴が中に形成された導管部分とを有する細長い本体であって、前記導管部分が、１本又は複数本の通信線を収容する細長い本体と、
前記細長い本体と隣接して長手方向に延在して、前記ダクトを取り付け面に取り付けるフランジと、
前記フランジの表面に配置された接着剤層であって、取り付け後に前記ダクトを前記取り付け面から取り外すことを可能にする除去可能な接着剤を含む接着剤層と、を有する、ダクト。
【請求項２】
前記接着剤層が、引き剥がし接着剤を含む、請求項１に記載のダクト。
【請求項３】
前記細長い本体が、少なくとも２５対１のフォームファクタ（長さ対幅）を有する、請求項１に記載のダクト。
【請求項４】
脱着可能な物品であって、
少なくとも２５対１のフォームファクタ（長さ対幅）を有する細長い本体と、前記細長い本体の長さに沿った底面とを有する物品と、
前記物品の前記底面に配置された接着剤層であって、取り付け後に前記物品を取り付け面から取り外すことを可能にする除去可能な接着剤を含む接着剤層と、を有する、脱着可能な物品。
【請求項５】
取り付け面に取り付けられたダクトを取り外す方法であって、前記ダクトが、長さと、１本又は複数本の通信線を収容する長手方向の穴が中に形成された導管部分とを有する細長い本体と、前記細長い本体と隣接して長手方向に延在するフランジと、前記フランジの表面に配置された接着剤層であって、除去可能な接着剤を含む接着剤層とを有し、
前記接着剤層の一部分を、実質的に前記取り付け面の平面に沿って長手方向に引き延ばす工程と、
前記接着剤層の前記一部分を、前記取り付け面の前記平面に沿って前記長手方向から相当な角度で前記ダクトから引き離す工程と、を含む、方法。
【請求項６】
取り付け面に取り付けられたダクトを取り外す方法であって、前記ダクトが、長さと、１本又は複数本の通信線を収容する長手方向の穴が中に形成された導管部分とを有する細長い本体と、前記細長い本体と隣接した長手方向に延在するフランジと、前記フランジの表面に配置された接着剤層であって、除去可能な接着剤を含む接着剤層とを有し、
前記接着剤層の一部分を、実質的に前記取り付け面の平面に沿って長手方向に引き延ばす工程と、
前記ダクトを、前記長手方向に沿って前記取り付け面の前記平面から第１の相当な角度で引き離す工程と、
前記接着剤層の前記一部分を、前記長手方向に沿って前記取り付け面の前記平面から第２の相当な角度で前記ダクトから引き離す工程と、を含む、方法。